(57)【要約】【課題】構造が簡易で、しかも大量の汗を確実に気化させることができる冷却衣服を提供することを目的とする。【解決手段】外部の空気を取り込む空気取込口２aと、空気取込口から空気を取り込み、体に対して略平行な平行風を発生させるための平行風発生手段3と、平行風発生手段により発生した平行風を体に平行に案内するための衣服2をかねた案内シートと、平行風を外部に放出する空気出口部と、平行風発生手段に電源を供給するための電源手段と、を有し、平行風発生手段によって、総計約5m3/時〜300m3/時の空気を前記案内シ−トと下着との間に送風することにより、案内シ−トと下着との間を陽圧にして空気流通空間を形成し、更に空気流通空間に空気を流通させて汗による水蒸気を外部に排出する共に、たえず新鮮な外部の空気を送り込み、汗が蒸発できる条件を大幅に拡大することを特徴とする。【選択図】図２
2005054299.tif 000002
【特許請求の範囲】
【請求項１】
外部の空気を取り込む一又は複数の空気取込口と、
前記空気取込口から空気を取り込み、体に対して略平行な平行風を発生させるための一又は複数の平行風発生手段と、
前記平行風発生手段により発生した平行風を体に平行に案内するための衣服をかねた案内シ−トと、
前記平行風を外部に放出する一又は複数の空気出口部と、
前記平行風発生手段に電源を供給するための電源手段と、
を有し、前記平行風発生手段によって、総計約5m3/時〜500m3/時の空気を前記案内シ−トと下着又は人体との間に送風することにより、前記案内シ−トと下着又は人体との間を陽圧にして空気流通空間を形成し、更に前記空気流通空間に空気を流通させて汗による水蒸気を外部に排出する共に、たえず新鮮な外部の空気を送り込み、汗が蒸発できる条件を大幅に拡大することを特徴とする冷却衣服。
【請求項２】
前記平行風発生手段は前記案内シ−トに着脱可能に取り付けられていることを特徴とする請求項１記載の冷却衣服。
【請求項３】
前記平行風発生手段は側流ファンであることを特徴とする請求項１又は２記載の冷却衣服。
【請求項４】
前記平行風発生手段の空気取込口にファンガ−ドを取り付けたことを特徴とする請求項１、２又は３記載の冷却衣服。
【請求項５】
前記平行風発生手段は、プロペラファン又は斜流ファンと、前記プロペラファン又は斜流ファンからの風を人体と平行な平行風とする平行風変換装置とを備え、且つ前記プロペラファン又は斜流ファンと前記平行風変換装置とが一体化されていることを特徴とする請求項１、２、３又は４記載の冷却衣服。
【請求項６】
前記平行風発生手段は、平行風送出部にファンガ−ドが形成されていることを特徴とする請求項１、２、３、４又は５記載の冷却衣服。
【請求項７】
前記平行風発生手段より送出された平行風が体と略平行になるように、前記平行風発生手段を上方から吊り下げる吊下げ手段を備えることを特徴とする請求項１、２、３、４、５又は６記載の冷却衣服。
【請求項８】
前記平行風発生手段を体又は下着に固定するための固定手段を設けたことを特徴とする請求項１、２、３、４、５、６又は７記載の冷却衣服。
【請求項９】
前記電源手段は、燃料電池であることを特徴とする請求項１、２、３、４、５、６、７又は８記載の冷却衣服。
【請求項１０】
前記平行風発生手段は、背中の下側部に左右１個ずつ合計２個、設けられていることを特徴とする請求項１、２、３、４、５、６、７、８又は９記載の冷却衣服。
【請求項１１】
前記空気出口部は前記衣服をかねた案内シ−トの端部である事を特徴とする請求項１、２、３、４、５、６、７、８、９又は１０記載の冷却衣服。
【請求項１２】
前記空気出口部は、前記衣服をかねた案内シ−トの一部を空気透過性の高いシ−トにより形成したものであることを特徴とする請求項１、２、３、４、５、６、７、８、９、１０又は１１記載の冷却衣服。
【請求項１３】
前記衣服をかねた案内シ−トの要所要所にスペ−サを取り付けたことを特徴とする請求項１、２、３、４、５、６、７、８、９１０、１１又は１２記載の冷却衣服。
【請求項１４】
前記固定手段は、前記平行風発生手段と、前記平行風発生手段に電力を供給する電源と、前記平行風発生手段と前記電源とを電気的に接続する接続手段とが取着されていることを特徴とする請求項８記載の冷却衣服。
【請求項１５】
前記固定手段は、吸水性の少ない素材で作られていることを特徴とする請求項１４記載の冷却衣服。
【請求項１６】
前記固定手段は、殺菌加工した素材で形成されていることを特徴とする請求項１４又は１５記載の冷却衣服。
【発明の詳細な説明】
【技術分野】
【０００１】
本発明は、体と平行に外気を流通させることにより人体を冷却する冷却衣服に関する。
【背景技術】
【０００２】
人は食物を摂取して、生命維持活動や仕事を行ない、それに対応して発熱する非常に効率の悪い作業装置と考えることができる。効率が悪いゆえに、摂取したカロリ−のほとんどが熱になり、正常な体温を維持するためには、そのときの作業量に応じた大量の放熱が必要になる。その為に、人には発汗により身体を冷却する生理的機能が備わっている。すなわち作業量に応じて生理的に必要とする放熱量が決まり、これに対応した汗を出すようになっており、汗が全て気化されれば、その人のそのときの状況に最適な放熱が行なわれる。放熱量に対応した汗の量はもちろん脳により一義的に計算されたものではないであろうが、体温が激しく上昇すれば、大量の汗を出し続け、その結果体温が下がれば、汗の量が少なくなり、体を冷やしすぎることはない。したがって、結果的には必要とする放熱量に対応した量の汗を出すことになる。
【０００３】
しかしながら、温度、湿度、風の有無、作業量などの条件により汗を気化することができなくなると、必要とする放熱量が得られなくなり、気化されない無駄な液体状の汗を出し続け、不快になるだけでなく、生理的なダメ−ジもこうむる。このため、冷却衣服の助けが必要となる。冷却衣服のなかでも、外気を人体と平行に流通させて人体を冷却するタイプのもの（以下、空気流通式冷却衣服とも称する。）は、コンプレッサ等の冷却装置を使用せずに、外気を利用して冷却するので、少ない消費電力で、しかも人体に優しい冷却を行なうことができる。
【０００４】
ところで、従来の空気流通式冷却衣服は、人が通常の作業を行っているときに出す汗は気化させることができ、したがって、この冷却衣服の着用者を適度に冷却することができる。しかしながら、高温環境の下での作業や重労働等で大量の汗をかいたときには、でた汗を十分に気化させることができなかった。すなわち、従来の空気流通式冷却衣服は、このような厳しい使用環境で使用できるものではなかった。また、従来の空気流通式冷却衣服は、空気の流通路を確保するために、冷却衣服と下着との間にスペーサを設けている。このため、従来の空気流通式冷却衣服は、その構成が複雑なものとなっていた。
【０００５】
また、大量の汗をかくような情況で使用される冷却衣服は、汗で汚れるので、洗濯しやすいものであることが望ましい。
【０００６】
【特許文献１】国際公開第02/067708号パンフレット
【発明の開示】
【発明が解決しようとする課題】
【０００７】
本発明は、上記事情に基づいてなされたものであり、構造が簡易で、しかも大量の汗を確実に気化させることができる冷却衣服を提供することを目的とするものである。
【０００８】
また、本発明は、上記の目的に加えて、洗濯が容易な冷却衣服を提供することを目的とするものである。
【課題を解決するための手段】
【０００９】
上記の目的を達成するための請求項１記載の発明は、外部の空気を取り込む一又は複数の空気取込口と、前記空気取込口から空気を取り込み、体に対して略平行な平行風を発生させるための一又は複数の平行風発生手段と、前記平行風発生手段により発生した平行風を体に平行に案内するための衣服をかねた案内シ−トと、前記平行風を外部に放出する一又は複数の空気出口部と、前記平行風発生手段に電源を供給するための電源手段と、を有し、前記平行風発生手段によって、総計約5m3/時〜500m3/時の空気を前記案内シ−トと下着又は人体との間に送風することにより、前記案内シ−トと下着又は人体との間を陽圧にして空気流通空間を形成し、更に前記空気流通空間に空気を流通させて汗による水蒸気を外部に排出する共に、たえず新鮮な外部の空気を送り込み、汗が蒸発できる条件を大幅に拡大することを特徴とするものである。
【発明の効果】
【００１０】
本発明の冷却衣服は、下着又は人体と案内シートとの間に大量の空気を流すことにより、人の生理的冷却機能の有効範囲を大幅に拡大して、人体を冷却することができる。
【発明を実施するための最良の形態】
【００１１】
始めに、本発明の冷却原理について説明する。人が大量の汗をかく状態、具体的には、下着に汗がにじんでいる様な状態では下着又は肌付近の湿度はほぼ100%となり、後から出てきた汗は蒸発できなくなる。これに対して、例えば外気の湿度が90%でも、大量に空気を流すことにより汗を蒸発させることができる。一般に湿度が極端に高いときは温度はあまり高くなく、又温度が極端に高いときは湿度は低くなる。汗の蒸発により得られる温度は乾湿温度計の湿球温度で決まり、例えば、温度が50度でも湿度が20%なら28度まで汗の気化により体温を下げることができ、ほとんどの環境下では風量さえ十分に流すことができれば汗を完全に蒸発させることができる。
【００１２】
蒸発による体の冷却と言う点でみれば汗は次の様に３種類に分けることが出来る。
（１）即効汗：体から出ると同時に蒸発する汗で、すぐに体を冷却する。
（２）遅効汗：体から液体の状態で出る汗で、下着をぬらし、体が必要な時にすぐには冷却効果はないが、風が吹いたときなどに遅れて蒸発し、結果的には体を冷却する。
（３）無効汗：体からたれ落ちる汗で、蒸発による体の冷却作用はない。
無効汗が出ている時は生理的冷却機能が間に合わない状態で、体温が上昇し続け、ずっとその状態を続けることは出来ない。
【００１３】
無効汗は出ていないが遅効汗が出ている時は、体温は上昇したり、正常に戻ったりを繰り返している。この状態では蒸し暑さを感じ、不快であるが、そのままの状態を続けることは可能である。汗をかいて、下着がぬれている状態で、風にあたったときにひんやり感じるのはこの遅効汗のためである。さらに即効汗だけの時は、汗はすぐに蒸発するので冷却遅れはなく、体温の変化もない、非常に快適な状態であり、暑さを感じない。
【００１４】
暑さや寒さは絶対的なものではなく、その人のその時の運動状態と、温度、湿度、風の有無等によって決まり、気温が高くても、汗がすべて即効汗ならば、暑さを感じない。したがって、冷却衣服により大量の風を体と平行に流せば、出た汗をすぐに蒸発させ、脳により制御された発汗をすべて即効汗にすることができ、この結果、人体を適度に冷却することができる。すなわち、冷却衣服を着衣し、大量の空気を身体と平行に流すことにより、人体から出た汗を気化できる条件の範囲を大幅に拡大することができる。
【００１５】
大量の風(30m3/H)を流せる冷却衣服を着用し、同じ原理の冷却座布団をしき、頭にも冷却帽をかぶってオフィスワークの実用テストを行ったところ、室温が最高４０℃付近にもなったが、人により暑く感じる限界温度はバラツキが有るが、あまり太っていない人は室温が２５℃でも４０℃でもその差をまったく感じることはなかった。暑く感じれば液体状の汗が出ることは日常的に経験しているが、逆に液体状の汗が出ず、即効汗だけが出ている場合は暑苦しくないと言うことが確認された。なお、体と平行な風はいくら強く流しても体に直接風があたることは少ないので、扇風機からの生ぬるい風があたったときのような不快感を使用者に与えることはない。
【００１６】
人間がもっとも快適に感じる状態は放熱のために汗が出ていて、その汗が即蒸発する状態、すなわち生理的冷却機能（クーラ）が入っている状態である。これを実現するための条件として、外気温が高く汗が出るような情況であること、外気を絶えず体に平行して流して、湿気を外部に排除することが必要である。
【００１７】
上述したように、本発明は、無効汗がでるような厳しい環境の下でも、大量の風を人体と平行に流すことにより、生理的冷却機能の有効範囲を大幅に拡大して、人体を冷却するという冷却原理を利用するものである。
［第１実施形態］
以下に、図面を参照して、本願に係る発明を実施するための最良の形態について説明する。第１実施形態は、本発明に係る冷却衣服を作業服用の半袖の上着に適用したものである。図１（ａ）は本発明の第１実施形態である冷却衣服を着衣したときの概略正面図であり、（ｂ）はその概略背面図である。図１に示すように、第１実施形態の冷却衣服１は、半袖の上着の形状に形成された、空気漏れの少ない案内シート(案内の意味は後述する)を兼ねた衣服２と、背中下部の左右に設けられた、外部の空気を取り込み衣服２と下着又は体との間に体と平行な空気の流れを発生させるための平行風発生装置３と、空気の出口である空気出口部４と、衣服２に形成された、空気の入口である空気取込口２ａと、衣服２の裾からの空気漏れを防止するための空気漏れ防止手段５と、衣服２の前部を開閉するためのファスナ−６とを備えている。
【００１８】
本実施形態では、平行風発生装置３は、二つ設けられており、衣服２に着脱自在に設けられた図示しないコードと図示しない電源（電池）により電力が供給されると、外部の空気を衣服の中に吸い込むようになっている。また、二つの平行風発生装置３の送風量の合計は約１０m3/Hに設定されている。以後、平行風発生装置３を単にファン３と記すこともある。また、本実施形態の冷却衣服の空気出口部４としては、衣服の襟部と人体との間の隙間と、袖口と腕の隙間とがある。空気漏れ防止手段５は、衣服の裾部に、例えばひもを通し、衣服の前で、そのひもの両端部を強く結ぶことにより、裾部からの空気漏れを防止するものである。
【００１９】
第１の実施形態は、上記のように構成されているので、平行風発生装置３を駆動させると、約１０m3/Hの空気が空気取込口２ａから冷却衣服１内に入り、冷却衣服１内の平行風発生装置３付近は陽圧になり衣服２が膨らみ、案内シートを兼ねた衣服と下着の間に空間ができ、体を包み込むような風の流れが出来て、冷却衣服の端部である空気出口部４から外部に空気が出て行く。ここで衣服２を案内シートと称したのは、衣服２が体を包み込むような空気の流れを作るための案内の役割を兼ねるためであり、したがって衣服は目の細い布など、空気漏れの少ない素材で作られ、また体の冷やすべきところに、より大きな空気の流れが出来るように形状的に工夫されていることが望ましい。
【００２０】
上述したように体に平行に大きな空気の流れを作ることにより、汗の蒸発による人体の生理的冷却機能の有効範囲を大幅に拡大することができるので、本実施形態の冷却衣服により、暑さによる問題を根本的に解決することができる。
【００２１】
次に、本発明の冷却衣服を作業服に適用する場合のポイントについて詳しく説明する。一般的に作業服に要求される事項として、
(1)  安価なこと
(2)  冷却能力が大きいこと
(3)  作業性を損なわないようにすること、
(4)  洗濯の頻度が高いので、簡単に電気部品を取り外すことが出来ること
がある。逆に、作業服では、ファンション性はあまり重要視されない。
【００２２】
まず、(1)の安価なことであるが、従来の冷却衣服は体に平行な空気の流れを作るための空気流通路をあらかじめ作るためのスペーサが必要であり、スペーサが冷却衣服全体のコストに占める割合が高かった。これに対して本実施形態の冷却衣服では、大量の空気を衣服内に流し込むことにより、空気の圧力で体と衣服との間に空気を流通させるための空間を形成し、これによりスペーサを使用せずに空気の流通路を形成することを実現している。
【００２３】
(2)の冷却能力を大きくすることは、大型のファンを用い、更にファン用のモータに効率の高いものを採用することで実現できる。このためのモータとしては、コストの点も考慮してブラシモータが最適である。(3)(4)については後述する。
【００２４】
次に、本実施形態の平行風発生装置について説明する。図２は、衣服２に取り付けられた平行風発生装置近傍の概略側面図である。図３（ａ）は、平行風発生装置のファンケースの概略正面図、（ｂ）はその一部を切り欠いた概略側面図である。図４（ａ）は、平行風発生装置の側流ファンの概略正面図、（ｂ）はそのＡ−Ａ'矢視の概略断面図である。本実施形態の平行風発生装置３は、側流ファン３ａと、冷え過ぎ防止布１２と、ファンケース３１とを備える。
【００２５】
ファンケ−ス３１は、図３に示すように、ファンの空気取込口に形成された前面ファンガ−ド７ａと、平行風送出部に形成された内部側面ファンガ−ド７ｂと、フランジ部８と、底部９と、フランジ部８に取り付けられたマジックテ−プ８ａとを備えている。本実施形態の前面ファンガード７ａと内部側面ファンガード７ｂは、柱状部材により形成されていが、このファンガードは、井桁状に形成してもよい。特に、本実施形態のように大送風能力を有するファンは羽根車１０の回転エネルギ−が大きく、指などが羽根車１０に触れると怪我をすることがあるので、ファンをファンガ−ドで覆う必要がある。また、作業内容によっては頻繁に洗濯が必要であり、洗濯のときにファンを簡単に着脱できる様に、フランジ部にマジックテ−プが設けてある。また、衣服２の空気取込口２ａの周囲の裏側には、ドーナツ状のマジックテープ８ｂが設けられている。ファン３の空気取込口に設けられたマジックテープ８ａと、衣服２の空気取込口に設けられたマジックテープ８ｂにより、ファン３を衣服２に着脱自在に取着することができる。なお、ファン３の着脱手段は、マジックテ−プに限られるものではなく、各種方法が考えられる。
【００２６】
本実施形態の側流ファン３ａは、図４に示すように、羽根車１０と、モータ１１とを備えている。羽根車１０は、回転体１０ｂと、回転体１０ｂの周辺部に回転体１０ｂの回転面に対してほぼ垂直に形成された多数の羽根１０ａとを備えている。したがって、モータ１１により羽根車１０を回転すると矢印で示した様に前面から空気を取り込み側面方向に空気を吸き出す。本実施形態では、このような風を送るファンを側流ファンと称している。
【００２７】
冷え過ぎ防止布１２は、断熱性の高い布などで作られ、ファンケース３１の底部９に取着されている。この冷え過ぎ防止布１２は、ファンケース３１の外形より、例えば約５〜１５cm大きな外形を有する。ファン３によって吹き出された風の方向は、図２の矢印で示すように、吸い込まれた空気の慣性等の理由により、完全には体と平行にはならず、ファンの周辺では体に吹き付けてしまう。特に、外気温度はあまり高くはないが、湿度が高いときは、蒸し暑さを解消するために、本実施形態の冷却衣服を着用する必要があるが、空気と体温との温度差が大きいと直接体に外気が吹きつけられたファン３の周囲では部分的に体が冷えすぎることがある。これを防止するために、本実施形態では、断熱性の高い布などで作られた、冷え過ぎ防止布１２を設けている。
【００２８】
また、本実施形態の冷却衣服１は、吊り下げ手段１４を備えている。図５は衣服２とファン３と下着１３との関係を表した概略断面図である。本実施形態の吊り下げ手段１４は、一方の端が衣服２の肩部に取着され、他端がファンに取着されている。送風能力の大きなファン３は重いので、マジックテープで衣服に取着しただけでは同図（ａ）に示しようにファン３が傾いてしまい、外観上良くないばかりでなく、冷却衣服の機能自体も低下してしまう。このため、本実施形態では、同図（ｂ）に示すように、衣服２の上部から紐などの吊り下げ手段１４により、ファン３を上方から吊り下げるようにしている。なお、この紐は、丸棒状でも、帯状でもよい。
【００２９】
上記の本実施形態によれば、平行風発生装置３により、下着１３と衣服２との間に平行に送風された約１０m3/Hと言う大量の風は衣服２と下着又は体との空間を陽圧にしてふくらませて空気流通路を自動的に形成し、衣服の端部に形成された空気出口部４から外部に排出される。この様に、本実施形態の冷却衣服は、空気流通路を確保するためのスペーサを用いることなく空気流通路を形成することができるので、構造が簡易になり、しかも安価に作ることができる。
【００３０】
また、衣服の形状や空気の空気出口部の空気の抵抗や、衣服の重量を工夫することにより、５m3/H程度の風量でもスベ−サを用いずに空気を流通することができるが、この場合はコストと冷却性能から見て、要所要所に小さなスペーサを用いて、より確実に空気流通路を確保することが望ましい。この場合のスペーサとしては、例えばスポンジ等を用いことができる。また、平行風発生装置による総送風量の上限値は、約５００m3/Hである。これ以上大きいと、平行風発生装置が大型なものとなり、作業性が悪くなるので、現実的でない。なお、衣服を案内シートと称したのは平行風発生装置による平行風を、体と平行に保ったまま空気の出口である空気出口部４まで案内する役割を衣服自体が兼ねているためである。このための条件としては衣服に空気漏れの少ない素材を用いて、また小さな圧力で容易に下着と衣服との間に空間ができるようにするだけでよい。また、かならずしも、衣服で覆われた体全体に空気を流通させる必要はなく、汗の出やすいところを重点的に空気が流通する様に形状などを工夫すればよい。特に、腹部については、一般的にあまり冷やさない方がよいと言われている。裾のところに構成された空気漏れ防止手段５は、裾から空気が漏れるのを防止し、背中下部から送風された風全部を背中、胸、脇の下などを経由して端部に形成された空気の出口である空気出口部４から排出させるために必要なものだが、平行風発生装置の取り付け位置や冷却衣服自体の使用目的によっては省略することも可能である。
［第２実施形態］
次に、本発明の第２実施例について図面を持って説明する。第２実施形態は、本発明を第１実施形態の冷却衣服よりも冷却能力の高い作業服に適用したものである。第２実施形態の送風能力は、第１実施形態の倍の約２０m3/Hである。第２実施形態と第１実施形態の主な違いは、第２実施形態では、平行風発生装置の羽根として、羽根車の代わりにプロペラを用いたこと、空気の出口である空気出口部として空気透過シ−トを設けた新たな空気出口部を設けたこと、及び大きなファンが体の動作によって揺れ動くのを防止するための固定手段である固定ベルトを設けたことである。その他の構成は、第１実施形態と同様である。したがって、第２実施形態において、第１実施形態と同様の機能を有するものには、同一の符号を付することにより、その詳細な説明を省略する。
【００３１】
図６（ａ）は第２実施形態の冷却衣服を正面から見たときの概略正面図、（ｂ）はその冷却衣服を背面から見たときの概略背面図である。本実施形態の冷却衣服の背中上部には空気透過性の大きな布である空気透過シ−ト１５が衣服の服地の替わりに取り付けられ、ここも空気出口部４を構成している。以下では、この空気出口部を第１実施形態の空気出口部４と区別するために、第２空気出口部と称し、第１実施形態の空気出口部を第１空気出口部と称する。
【００３２】
図７（ａ）は、第２実施形態に用いられているファンの概略側面図であり、（ｂ）は、その概略側面図である。第２実施形態のファンが第１実施形態のファンと異なる点は、使用される羽根に、羽根車の代わりに、プロベラ１７が用いられている点である。プロベラ１７はモータ１１により外気を取り込む方向に回転し、外気を取り込み、プロベラの回転面に対して垂直に風を送り込むが、平行風変換板(平行風変換手段)１９にあたり、矢印で示したようにプロベラの回転面に平行に向きが変換され、体に対して平行な風となる。なお、本実施形態では、ファンケースの底部９が平行風変換板１９を兼ねている。また、本実施形態でも、図示しないが、冷え過ぎ防止手段１２が設けられている。
【００３３】
ここでプロベラの下端と平行風変換板１９との間にはプロベラの直径の1/5程度の間隔Ｈが必要であり、これより小さいと送風量は大幅に小さくなってしまう。最低でも1/10は必要である。したがって、第１実施形態で使用する側流ファンに比べ、ファンの厚みが厚くなってしまうが、同じ風量を発生するための消費電力が側流ファンにくらべて小さいと言う利点がある。なお、用途に応じて、例えば風量が小さくても良い場合は、間隔Ｈを０としてもよい。
【００３４】
図８は、本実施形態の冷却衣服のファスナ６を開いて、ファン３が取り付けられた固定ベルト１６を展開した状態の概略図である。本実施形態の固定ベルト１６は、二つのファン３を人体に密着して取着するためのものである。なお、図示しない電源（電池）やコードは、第１実施形態と同様に衣服に着脱自在に取着されている。この固定ベルト１６の両端には、固定ベルト接続手段である紐２１が取り付けられている。大きな冷却能力を必要とする本実施形態の冷却衣服では大きなファンが必要となり、重量も大きくなる。大きく重いファンが衣服２に付けられると、ファンが傾き、性能が低下するだけでなく、使用者が動き回ると、ファンが揺れ、作業性を悪化させる。固定ベルト１６は、この対策として設けたもので、ファン３を体に密着させ、上述した問題を解決するものである。なお、固定ベルト１６は、所々を衣服２に固定してよいし、或いは衣服２に固定せずにフリーにしておいてもよい。固定ベルト１６をフリーにした場合でも、ファンのマジックテープによりファンは衣服に固定される。
【００３５】
図９は、第２実施形態の変形例を示す図であり、同図（ａ）は本変形例である斜流ファンの概略正面図、（ｂ）はそのＢ−Ｂ’矢視概略断面図である。なお、図９では、図を簡略化するために、ファンケース３１は省略している。本変形例は、プロペラの代わりに斜流ファンの羽根２０を用いたものである。斜流ファンの羽根の構造は側流ファンとプロペラファンの中間的な構造であり、特性的にも中間的であり、図９の矢印で示すように前面から空気を取り込み、斜め後方に送出する。従ってこのタイプの羽根を用いたときでも、羽根の下部と平行風変換板との間隔Ｈは必要だが、必要とする間隔Ｈの大きさは羽根の形状がプロペラの形状に近いときは大きく、羽根車の形状に近いときは小さくなる。なお、この場合も、用途に応じて、例えば風量が小さくてもよい場合には、間隔Ｈは０としてもよい。
【００３６】
本実施形態の冷却衣服を使用するときには、袖に手を通した後、ファスナ６を閉める前に、固定ベルト１６の前端に取り付けられた紐２１を結び、ファンを体に固定してからファスナを閉める。むろん固定ベルト１６の接続方法はひもに限らず、マジックテ−プなどを使用してもよい。
【００３７】
本実施形態によれば、平行風発生装置で衣服(案内シート)内に送風された風は第１実施形態と同様に案内シートにより体と平行に導かれて、空気の出口である空気出口部から外部に排出される。ここで、本実施形態では、衣服の背中上部の一部が、空気透過シ−トに置き換わっており、第１空気出口部の他に第２空気出口部が形成されている。一般に作業服などの首周りは、前部は大きく開いているが、背部は首に密着している場合が多い。この様な形態では背部の首周りは空気出口部としての機能が充分でなく、したがって背中の上部にはあまり空気の流れができない。此れを補助するために背中上部の服地の一部を空気透過性の良いシ−トに置き換えることにより空気出口部として機能させ、背中上部の通風量を改善することができる。本実施形態の他の作用・効果は、第１実施形態のものと同様である。
［第３実施形態］
次に、本発明の第３実施形態について説明する。第３実施形態が第１、第２実施形態と異なる点は、固定ベルト上にファンだけでなく、電源（電池）やコードが取り付けられていることである。他の点は、第２実施形態と同様である。したがって、本実施形態において、第１及び第２実施形態と同様の機能を有するものには、同一の符号を付することにより、その詳細な説明を省略する。図１０（ａ）は本実施形態の固定ベルト１６０を展開した状態を示す概略図である。本実施形態の固定ベルト１６０は、ファン３の直径より大きい幅を有し、二つのファン３と電源供給用のコ−ド３２と電源３３が着脱自在に取着されている。したがって、この固定ベルト１６０は、冷却衣服から案内シート（衣服）を取り除いたものと言える。同図（ｂ）は、固定ベルト１６０が取り付けられる衣服の空気取込口２ａ近傍を拡大した概略図である。空気取込口２ａの周囲には、ドーナツ状にマジックテープ８ｂが設けられている。また、ファン３のフランジ部８にも、上述したようにマジックテープ８ａが設けられている。本実施形態の固定ベルト１６０は、固定ベルト１６０のマジックテープ８ａとファン３のマジックテープ８ａとを密着させて接合することにより、衣服に取り付ける。
【００３８】
本実施形態によれば、冷却衣服を洗濯するときなどは、固定ベルト１６０を衣服から外せば、ファンと電源とコードとを同時に取り外すことができ、手間がかからない。
また、本実施形態は、固定ベルト１６０を衣服２に取り付けてしまえば第２実施形態とほぼ同様な形態になり、着衣のしかたは第２実施形態と同じである。第３実施形態の最大の利点は前述したように洗濯時などに電気部品が一括して、簡単に着脱できる所にあり、また電気部品の全てがベルト上に固定されているので、取り扱いが簡単で故障も少なくなる。なお固定ベルト１６０自体は洗濯ができないので、汚れにくい、且つ汚れでも簡単に拭き取る様な素材で作ることが望ましい。特に、汗を吸収しない素材が望ましく、また防菌加工などを施すことが望ましい。また、衣服２に対する固定ベルトの着脱に関しては、マジックテ−プによる方法に限定したものでなく、固定ベルトに取り付けられたファンと衣服との間で大きな空気漏れがなければ、どのような方法でも良い。また、本実施形態の他の作用・効果は、第２実施形態のものと同様である。
【００３９】
また、固定ベルト上に取り付けるファンは前面ファンガ−ドを有するものでも良いし、前面ファンガードを衣服の側に形成し、ファンは前面ファンガ−ドを除いたものでも良い。この場合、例えば、衣服の空気取込口２ａにメッシュなどを張って前面ファンガ−ドの代わりとしても良い。また、図１１に示す、蓋用ファンガード２０１とフランジ部２０２とテーパ状に形成された円筒部２０３とを有する蓋部２００を作り、図１２に示すように、この蓋部２００の円筒部２０３をファン３のフランジ部の内側に嵌め込んで、蓋部２００のフランジ部２０２とファン３のフランジ部８とで空気取込口２ａ周囲の衣服を挟み込むことにより、蓋部２００とファン３とを結合させ、これにより固定ベルト１６０を衣服に取り付けるようにしても良い。なお、蓋部とファンとの結合方法は、上記の方法に限定されるものではなく、両者で衣服を挟み込むことにより、固定ベルト１６０を衣服に取り付けることができるものでれば、どのよう結合方法でもよい。また、図１２では、図を簡略化するために、ファンケース内部の羽根は省略して描いている。
［他の実施形態］
本発明は、上記の各実施形態に限定されるものではなく、その要旨の範囲内において種々の変形が可能である。例えば、上記の各実施形態では、冷却衣服が作業用の上着である場合について説明したが、本発明の冷却衣服は、例えば図１３に示すように、上着とズボンとが一体的に形成されたツナギ服であってもよい。この場合、衣服の足元の裾と足との隙間も空気出口部４となる。また、この実施形態の場合、ツナギ服であるので、空気漏れ防止手段５は不要となる。
【００４０】
また、上記の各実施形態では、空気漏れを防止するために、衣服を開閉するファスナ６を設けたが、本発明はこれに限定されるものではなく、空気漏れの少ない方法であれば、どのような方法でもよい。さらに、逆に、ある程度は空気が漏れるようにして、衣服の開閉部分を空気出口部の一つとしても良い(例えばファスナのかわりにボタンを用いる。)。
【００４１】
また第２実施形態で説明したように、平行風発生装置としてプロベラファンを用いた場合、羽根の数を増やすことにより、プロベラの厚みを薄くすることができ、これによりファン全体の厚さが薄くなれば、ファンは必ずしも衣服の内側に取り付ける必要はなく、衣服の外側に取り付けても良い。
【００４２】
さらにプロベラや斜流ファンの羽根を用いた場合には羽根の下端から間隔Ｈだけ離れたところに平行風変換手段として平行風変換板を設けたが、平行風変換手段は板状に限らず、むしろ風向きをスム−ズに変換できる３次元形状、例えば、図１４に示すように略円錐形状の平行風変換板１９０とする方が望ましい。またプロベラなどと下着との間に間隔Ｈをあけておけば平行風変換板などは必要なく、体や下着が平行風変換板と同様な役割をする。すなわち間隔Ｈをあけること自体が平行風変換手段と言うことができる。さらに間隔Ｈはあらかじめ設けておかなくても、体に吹きつける風の圧力により自動的に間隔Ｈが設けられるようにしてもよい。この場合は、衣服とファンにより平行風変換手段が形成されることになる。
【００４３】
さらに服地の形状は上述した各実施形態にあるような前開きのものに限らず、例えばTシャツのようなものでも良い。Tシャツの場合、空気出口部としては、首まわり、袖部、裾周りになる。
【００４４】
さらに案内シート（衣服）は、ファンの送風量が大きく、充分な平行風を流すことができれば、目的によっては、ある程度空気透過性のあるものでも良い。この場合、ファンの周りは特に圧力が高くなるので、ここだけ空気透過性の小さいものにすると効果が上がる。また長袖の場合、冷却衣服の形状によっては袖の中まであまり平行風が流れないことがあるが、この場合は袖部は空気透過性の布を用いる方が、腕を動かしたときに風が当たるので、良い場合がある。
【００４５】
また、電源手段は、電池に限られるものではなく、商用電源であってもよい。例えば、殆ど一箇所で座った状態で作業をするようなときに使用する場合には、商用電源からのコードを接続したままで、本発明の冷却衣服に電源を供給するようにしもよい。
【産業上の利用可能性】
【００４６】
以上説明したように、本発明によれば、人体と平行に大量の空気を流すことにより、人体の生理的冷却機能の有効範囲を大幅に拡大することができるので、大量の汗が出るような環境でも、人体を確実に冷やすことができる。したがって、本発明は、大量の汗をかくような情況で、人体を冷却するのに使用する冷却衣服に適用することができる。
【図面の簡単な説明】
【００４７】
【図１】（ａ）は本発明の第１実施形態である冷却衣服を着衣したときの概略正面図であり、（ｂ）はその概略背面図である。
【図２】衣服２に取り付けられた平行風発生装置近傍の概略側面図である。
【図３】（ａ）は、平行風発生装置のファンケースの概略正面図、（ｂ）はその一部を切り欠いた概略側面図である。
【図４】（ａ）は、平行風発生装置の側流ファンの概略正面図、（ｂ）はそのＡ−Ａ'矢視の概略断面図である。
【図５】衣服２とファン３と下着１３との関係を表した概略断面図である。
【図６】（ａ）は第２実施形態の冷却衣服を正面から見たときの概略正面図、（ｂ）はその冷却衣服を背面から見たときの概略背面図である。
【図７】（ａ）は、第２実施形態に用いられているファンの概略側面図であり、（ｂ）は、その概略側面図である。
【図８】本実施形態の冷却衣服のファスナ６を開いて、ファン３が取り付けられた固定ベルト１６を展開した状態の概略図である。
【図９】第２実施形態の変形例を示す図であり、同図（ａ）は本変形例である斜流ファンの概略正面図、（ｂ）はそのＢ−Ｂ’矢視概略断面図である。
【図１０】（ａ）は本実施形態の固定ベルト１６０を展開した状態を示す概略図であり、（ｂ）は固定ベルト１６０が取り付けられる衣服の空気取込口２ａ近傍を拡大した概略図である。
【図１１】（ａ）は第３実施形態の変形例を説明するための蓋部の平面図、（ｂ）はその概略側面図である。
【図１２】第３実施形態の変形例を説明するための蓋部とファンの結合状態を示す概略側面図である。
【図１３】本発明の他の実施形態を説明するための図である。
【図１４】本発明の他の実施形態を説明するための図である。
【符号の説明】
【００４８】
１  冷却衣服
２  衣服（且つ案内シート）
３  平行風発生装置(ファン)
４  空気出口部
５  空気漏れ防止手段
６  ファスナ
７ａ  前面ファンガ−ド
７ｂ  内部側面ファンガ−ド
８  フランジ部
８ａ  マジックテープ(着脱手段)
８ｂ  マジックテ−プ(着脱手段)
９  ファンケースの底部
１０  側流ファンの羽根車
１０ａ  羽根
１１  モータ
１２  冷え過ぎ防止布
１３  下着又は体
１４  吊り下げ手段
１５  空気透過シ−ト
１６  固定ベルト
１７  プロペラ
１９  平行風変換板(平行風変換手段)
２０  斜流ファンの羽根
２１  紐(固定ベルト接続手段)
３２  電源供給用のコ−ド
３３  電源
１６０  固定ベルト
【図１】
2005054299.tif 000003
【図２】
2005054299.tif 000004
【図３】
2005054299.tif 000005
【図４】
2005054299.tif 000006
【図５】
2005054299.tif 000007
【図６】
2005054299.tif 000008
【図７】
2005054299.tif 000009
【図８】
2005054299.tif 000010
【図９】
2005054299.tif 000011
【図１０】
2005054299.tif 000012
【図１１】
2005054299.tif 000013
【図１２】
2005054299.tif 000014
【図１３】
2005054299.tif 000015
【図１４】
2005054299.tif 000016